(57)【要約】【課題】外観形状及び安定した商品陳列機能が確保できると共に、折り畳まれた状態から使用状態に容易に展開できる商品陳列台を提供する。【解決手段】前面部材１１、後面部材２１、第１前部側面部材３２、第１後部側面部材３５、第２前部側面部材４２、第２後部側面部材４５が互いにヒンジ結合された矩形筒状台枠１０及び、後面部材２１の上部及び下部にヒンジ結合された商品載置部材５１及び底面部材６１を備える。後面部材２１と前面部材１１との間に商品載置部材５１、底面部材６１、第１前部側面部材３２と第１後部側面部材３５、第２後部側面部材４２、第２前部側面部材４５が重なるように折り畳む一方、第１後部側面部材３５と第１前部側面部材３２及び第２後部側面部材４５と第２前部側面部材４２を平板状に展開し、かつ商品載置部材５１及び底面部材６１の先端を前面部材１１の上部及び下部に係止した使用状態に展開する。【選択図】図１
0003149981.tif 000002
【実用新案登録請求の範囲】
【請求項１】
矩形板状の前面部及び該前面部の両側縁に沿って折曲形を成された一対の延在部を備えた前面部材と、
該前面部材と対向する矩形板状の後面部及び該後面部の両側縁に沿って折曲形を成された一対の延在部を備えた後面部材と、
前記前面部材の一方の延在部に基端が揺動自在にヒンジ結合された矩形板状の第１前部側面部材と前記後面部材の一方の延在部に基端が揺動自在にヒンジ結合された矩形板状の第１後部側面部材とを備え前記第１前部側面部材の先端と第１後部側面部材の先端が互いに揺動自在にヒンジ結合された第１側面部材と、
前記前面部材の他方の延在部に基端が揺動自在にヒンジ結合された矩形板状の第２前部側面部材と前記後面部材の他方の延在部に基端が揺動自在にヒンジ結合された矩形板状の第２後部側面部材とを備え前記第２前部側面部材の先端と第２後部側面部材の先端が互いに揺動自在にヒンジ結合された第２側面部材と、
前記後面部材の後面部上部に基端が揺動自在にヒンジ結合された矩形板状の商品載置部材と、
前記後面部材の後面部下部に基端が揺動自在にヒンジ結合された矩形板状の底面部材と、
前記前面部材の前面部上部に前記商品載置部材の先端を係脱可能に係止する商品載置部材係止手段と、
前記前面部材の前面部下部に前記底面部材の先端を係脱可能に係止する底面部材係止手段と、を備え
前記後面部上に商品載置部材及び底面部材を横臥すると共に、該商品載置部材及び底面部材上の第１後部側面部材と第１前部側面部材が重なるように折り畳まれた第１側部材及び第２後部側面部材と第２前部側面部材が重なるように折り畳まれた第２側面部材を重ね、更に後面部材の延在部上に前面部材の延在部が重ね合わせた状態に折り畳まれた状態と、
前記後面部材と前面部材とを離反すると共に第１後部側面部材と第１前部側面部材及び第２後部側面部材と第２前部側面部材をそれぞれ平板状に展開し、前記商品載置部材の先端を前記商品載置部材係止手段を介して前面部材の前面部上部に係止しかつ前記底面部材の先端を前記底面部材係止手段を介して前面部材の前面部下部に係止した使用状態に展開することを特徴とする商品陳列台。
【請求項２】
前記前面部材、後面部材、第１側面部材及び第２側面部材の少なくとも１つの外面に表示パネルを装着することを特徴とする請求項１に記載の商品陳列台。
【考案の詳細な説明】
【技術分野】
【０００１】
本考案は、商品陳列台に関し、特にコンパクトに折り畳み可能で不使用時の収納性及び搬送性に優れ、簡便な作業で容易に使用状態に展開できる商品陳列台に関する。
【背景技術】
【０００２】
従来から、例えば小売店等の販売店において折り畳まれた状態から使用状態に展開可能な商品陳列台が種々提案されている。
【０００３】
この種の組立て式商品陳列台の一例を特許文献１に開示される陳列台を例に図１３乃至図１６を参照して説明する。
【０００４】
図１３に示すように陳列台１００は、筒状台枠１０１とケース１１０によって構成される。筒状台枠１０１は、各側面１０２及びコーナー部１０３を備えた矩形筒状で、各コーナー部１０３に上下一対の横切条１０５ａ、１０５ｂ及び各横切条１０５ａ、１０５ｂの両端を結ぶ折目１０５ｃを設けて構成される。このコーナー部１０３に形成された折目１０５ｃを図１４に仮想線で示すように内方へ折り込むことで各コーナー部１０３に内方に突出する内折受け桟１０５が形成される。一方、ケース１１０は、筒状台枠１０１内に嵌合可能な矩形の底面１１１、側面１１２及び蓋面１１３を有するボックス状に形成される。
【０００５】
このように構成された筒状受台枠１０１は、図１５に示すように折り畳まれた状態で図示しない商品と共にケース１１０に収納され梱包された状態で小売店等の販売箇所に搬送される。販売箇所において解梱されたケース１１０から商品と共に筒状台枠１０１が取り出される。折り畳まれた筒状台枠１０１は、図１３に示すように矩形筒状に展開され、かつ各横切条１０５ａ、１０５ｂの両端を結ぶ折目１０５ｃを内方に折り込む、換言すると押し込むことによって図１３に示すように内方にＬ字状に突出する内折受け桟１０５を形成する。
【０００６】
そして、図１６に示すように、ケース１１０の蓋面１１３を開け、側面１１２の外方に折重ねて、内折受け桟１０５を形成した筒状台枠１０１の上面から嵌め込んで内折受け桟１０５に載せることで商品陳列台１００が構成され、上方が開放したケース１１０が商品載置部となる。
【先行技術文献】
【特許文献】
【０００７】
【特許文献１】実開昭５７−１１８７７１号公報
【考案の概要】
【考案が解決しようとする課題】
【０００８】
上記特許文献１の陳列台１００は、折り畳んだ筒状台枠１０１を商品と共にケース１１０内に梱包されて小売店等の販売箇所等に搬送できる。しかし、折り畳まれた筒状台枠１０１を矩形筒状に展開して、各コーナー部１０３に形成された各横切条１０５ａ、１０５ｂの両端を結ぶ折目１０５ｃを内方に押し込んで反転させて内折受け桟１０５を形成する作業及び、内折受け桟１０５を形成した筒状台枠１０１に上面からケース１１０を嵌め込み組立てる作業は筒状台枠１０１が変形することから極めて厄介である。また、折り畳まれてケース１１０に収納された筒状台枠１０１には折目や波状に湾曲する等の変形が付与されて陳列台１００に要求される外観形状が低下することが懸念される。
【０００９】
一方、各コーナー部１０３に形成される各横切条１０５ａ、１０５ｂの両端を結ぶ折目１０５ｃを内方に押し込み反転させて内側に突出する内折受け桟１０５を形成する作業を容易にすべく筒状台枠１０１の素材の厚さを薄くすると、筒状台枠１０１の剛性が低下して安定した状態で陳列する本来の機能が確保できなくなることが懸念される。
【００１０】
従って、かかる点に鑑みなされた本発明の目的は、外観形状及び安定した商品陳列機能が確保できると共に、コンパクトに折り畳まれた状態から容易に使用状態に展開できる展開作業性に優れた商品陳列台を提供することにある。
【課題を解決するための手段】
【００１１】
前記目的を達成する請求項１に記載の商品陳列台の考案は、矩形板状の前面部及び該前面部の両側縁に沿って折曲形を成された一対の延在部を備えた前面部材と、該前面部材と対向する矩形板状の後面部及び該後面部の両側縁に沿って折曲形を成された一対の延在部を備えた後面部材と、前記前面部材の一方の延在部に基端が揺動自在にヒンジ結合された矩形板状の第１前部側面部材と前記後面部材の一方の延在部に基端が揺動自在にヒンジ結合された矩形板状の第１後部側面部材とを備え前記第１前部側面部材の先端と第１後部側面部材の先端が互いに揺動自在にヒンジ結合された第１側面部材と、前記前面部材の他方の延在部に基端が揺動自在にヒンジ結合された矩形板状の第２前部側面部材と前記後面部材の他方の延在部に基端が揺動自在にヒンジ結合された矩形板状の第２後部側面部材とを備え前記第２前部側面部材の先端と第２後部側面部材の先端が互いに揺動自在にヒンジ結合された第２側面部材と、前記後面部材の後面部上部に基端が揺動自在にヒンジ結合された矩形板状の商品載置部材と、前記後面部材の後面部下部に基端が揺動自在にヒンジ結合された矩形板状の底面部材と、前記前面部材の前面部上部に前記商品載置部材の先端を係脱可能に係止する商品載置部材係止手段と、前記前面部材の前面部下部に前記底面部材の先端を係脱可能に係止する底面部材係止手段と、を備え、前記後面部上に商品載置部材及び底面部材を横臥すると共に、該商品載置部材及び底面部材上の第１後部側面部材と第１前部側面部材が重なるように折り畳まれた第１側部材及び第２後部側面部材と第２前部側面部材が重なるように折り畳まれた第２側面部材を重ね、更に後面部材の延在部上に前面部材の延在部が重ね合わせた状態に折り畳まれた状態と、前記後面部材と前面部材とを離反すると共に第１後部側面部材と第１前部側面部材及び第２後部側面部材と第２前部側面部材をそれぞれ平板状に展開し、前記商品載置部材の先端を前記商品載置部材係止手段を介して前面部材の前面部上部に係止しかつ前記底面部材の先端を前記底面部材係止手段を介して前面部材の前面部下部に係止した使用状態に展開することを特徴とする。
【００１２】
これによれば、商品陳列台が互いにヒンジ結合された前面部材、後面部材、平板状に展開した第１側面部材及び第２側面部材によって矩形筒状に形成された矩形筒状台枠内の上部及び下部に矩形板状の商品載置部材及び底面部材が係止保持された剛性に優れた矩形ボックス状に形成され、商品載置部材上に安定した状態で商品を陳列することができる。
【００１３】
また、前面部材、後面部材、第１側面部材を構成する第１前部側面部材及び第１後部側面部材、第２側面部材を構成する第２前部側面部材及び第２後部側面部材、商品載置部、底面部材等を互いに揺動可能にヒンジ結合することより、折り畳まれた状態及び使用状態に展開した状態において各構成部材が湾曲変形することなく、優れた外観形状が維持できる。
【００１４】
商品陳列台は、折り畳まれた状態では後面部材と前面部材によって商品載置部材、底面部材及び第１側部材、第２側部材がコンパクトに収納されて搬送が容易になる。一方、後面部材と前面部材とを離間せしめて、前面部材、後面部材、第１側面部材及び第２側面部材による矩形筒状台枠を形成し、商品載置部材を揺動してその先端を商品載置部材係止手段により前面部材の上部に係止すると共に、底面部材を揺動してその先端を底面部材係止手段により前面部材の下部に係止する簡単な展開作業で商品陳列台が使用状態に展開でき、優れた利便性が得られる。
【００１５】
請求項２に記載の考案は、請求項１の商品陳列台において、前記前面部材、後面部材、第１側面部材及び第２側面部材の少なくとも１つの外面に表示パネルを装着することを特徴とする。
【００１６】
これによれば、購買者の視覚に訴え易い視認性に優れた前面部材、後面部材、第１側面部材、第２側面部材等に表示パネルを装着することから、商品の購買意欲を喚起できる。
【考案の効果】
【００１７】
本考案による商品陳列台は、剛性に優れた矩形ボックス状に形成され、商品載置部材上に安定した状態で商品を陳列することができると共に優れた外観形状が維持できる。一方、コンパクトに折り畳めて搬送が容易になり、かつ簡単な作業で商品陳列台が使用状態に展開できて優れた利便性が得られる。
【図面の簡単な説明】
【００１８】
【図１】本実施の形態における商品陳列台の斜視図である。
【図２】折り畳んだ状態の商品陳列台の斜視図である。
【図３】図２におけるＩ−Ｉ線断面図である。
【図４】使用状態に展開する過程における商品陳列台の斜視図である。
【図５】同じく、使用状態に展開する過程を示す商品陳列台の斜視図である。
【図６】同じく、底板及び商品載置板を使用状態に展開する過程を示す図５のＩＩ−ＩＩ線断面図である。
【図７】同じく、使用状態に展開する過程を示す商品陳列台の斜視図である。
【図８】同じく、商品載置部材係止手段の概要を示す要部斜視図である。
【図９】同じく、商品載置部材係止手段の作用説明図である。
【図１０】同じく、底面部材係止手段の概要を示す要部斜視図である。
【図１１】同じく、底面部材係止手段の作用説明図である。
【図１２】同じく、表示パネルの装着過程の概要を示す商品陳列台の斜視図である。
【図１３】従来の商品陳列台の分解説明図である。
【図１４】同じく、商品陳列台の展開過程の説明図である。
【図１５】同じく、商品陳列台の梱包の説明図である。
【図１６】同じく、商品陳列台の斜視図である。
【考案を実施するための形態】
【００１９】
以下、本考案における商品陳列台の一実施の形態を図１乃至図１２を参照して説明する。
【００２０】
図１は本実施の形態における商品陳列台１の斜視図、図２は折り畳んだ状態における商品陳列台１の斜視図、図３は図２のＩ−Ｉ線断面図、図４乃至図１２は使用状態に展開する過程を説明する図である。
【００２１】
商品陳列台１は、矩形筒状の矩形筒状台枠１０を形成する合成樹脂製の前面部材１１、後面部材２１、前面部材１１と後面部材２１の各端部に折り畳み可能に掛け渡される第１前部側面部材３２と第１後部側面部材３５からなる第１側面部材３１、第２前部側面部材４２と第２側面部材４５からなる第２側面部材４１と、商品載置部材５１、底面部材６１を主要部として構成される。
【００２２】
前面部材１１は略矩形平板状の前面部１２及び前面部１２の両側縁に沿ってほぼ直角に折曲形成された延在部１３、１４を有する断面略コ字状であって、前面部１２に外面に平面状の底面１６ａを有する凹面状の表示パネル収容部１６が形成される。表示パネル収容部１６の対向する縁部に底面１６ａとの間に表示パネル装着用の隙間１６ｂを有してレール状に突設する表示パネル係止部１６ｃが複数形成される。
【００２３】
更に、前面部材１１の上縁近傍、即ち上部に後述する係止部７３と共に商品載置板係止手段７１を構成する一対の係合部７２が突設される。係止部７２は図３及び図８に斜視図を示すように前面部１２の裏面から突出する一対の脚部７２ａ及び脚部７２ａに架設された軸部７２ｂによって構成される。
【００２４】
また、前面部材１１の下縁近傍、即ち下部に後述する係止部７７と共に底板部材係止手段７５を構成する一対の係合部７６が突設される。係合部７６は図１０に斜視図を示すように前面部１２の裏面から突出する一対の脚部７６ａ及び脚部７６ａに架設された軸部７６ｂによって構成される。
【００２５】
後面部材２１は矩形板状の後面部２２及び後面部２２の両側縁に沿ってほぼ直角に折曲形成された延在部２３、２４を有する断面略コ字状であって、後面部２２の外面に図示は省略するが前面部材１１と同様に底面を有する凹面状の表示パネル収容部が形成され、表示パネル収容部の対向する縁部に表示パネル係止部が複数形成される。更に、後面部２２の上縁近傍、即ち上部に一対の支持部材５０を介して後述する矩形板状の商品載置部材５１が揺動可能に支持され、下縁近傍、即ち下部に一対の支持部材６０を介して矩形板状の底面部材６１が支持される。
【００２６】
第１側面部材３１は、図３に示すように矩形板状で基端３２ａが前面部材１１の一方の延在部１３の先端１３ａに揺動可能にヒンジ結合される第１前部側面部材３２と、矩形板状で基端３５ａが後面部材２１の一方の延在部２３の先端２３ａに揺動可能にヒンジ結合される第１後部側面部材３５を備え、第１前部側面部材３２の先端３２ｂと第１後部側面部材３５の先端縁３５ｂが互いに揺動可能にヒンジ３９を介して連結される。なお、延在部１３にヒンジ結合される第１前部側面部材３２は、その基端３５ａの端面と延在部１３の端面の当接によって延在部１３と連続する平面状となるように揺動範囲が規制される。同様に延在部２３にヒンジ結合される第１後部側面部材３５は、その基端３５ａの端面と延在部２３の端面との当接によって延在部２３と連続する平面状となるように揺動範囲が規制される。
【００２７】
この第１前部側面部材３２及び第１後部側面部材３５の外側面部に亘って平面状の底面１６ａを有する凹面状の表示パネル収容部１６が形成される。表示パネル収容部１６の対向する縁部に底面１６ａとの間に表示パネル装着用の隙間１６ｂを有してレール状に突設する表示パネル係止部１６ｃが複数形成される。
【００２８】
第２側面部材４１は、矩形板状で基端４２ａが前面部材１１の他方の延在部１４の先端１４ａに揺動可能にヒンジ結合される第２前部側面部材４２と、矩形板状で基端４５ａが後面部材２１の他方の延在部２４の先端２４ａに揺動可能にヒンジ結合される第２後部側面部材４５を備え、第２前部側面部材４２の先端４２ｂと第２後部側面部材４５の先端４５ｂが互いに揺動可能にヒンジ４９を介して連結される。なお、延在部１４にヒンジ結合される第２前部側面部材４２は、その基端４２ａの端面と延在部１４の端面との当接によって延在部１４と連続する平面状となるように揺動範囲が規制される。同様に延在部２４にヒンジ結合される第２後部側面部材４５は、その基端４５ａの端面と延在部２４の端面との当接によって延在部２４と連続する平面状となるように揺動範囲が規制される。
【００２９】
また、図示は省略するが第２前部側面部材４２及び第２後部側面部材４５の外側面部に亘って第１側面部３１と同様に平面状の底面を有する凹面状の表示パネル収容部が形成され、表示パネル収容部の対向する縁部に底面の間に表示パネル装着用の隙間を有してレール状に突設する表示パネル係止部が複数形成される。
【００３０】
商品載置部材５１は、後面部材２１の後面部２２の上部に設けられた上部支持部材５０の軸５０ａに基端５１ａが揺動可能に軸支され、後面部材２１の延在部２３と２４との間に嵌入可能でかつ第１側面部材３１及び第２側面部材４１の幅とほぼ同等の長さを有する矩形板状に形成される。商品載置部材５１の先端５１ｂに前面部材１１の上部に突設される係合部７２の軸部７２ｂに係脱可能な係止部７３が形成される。係止部７３は図８に示すように商品載置部材５１の先端５１ｂに形成された上方が開放された断面Ｕ字状の支持部７３ａ及び支持部７３ａの先端外側に一体形成された傾斜するガイド面７３ｃ及び凹状に湾曲する係止面７３ｄを有する断面略三角形状のフック部７３ｂが形成される。
【００３１】
底面部材６１は、後面部材２１の後面部２２の下縁近傍に設けられた下部支持部材６０の軸６０ａに基端６１ａが揺動可能に軸支され、後面部材２１の延在部２３と２４との間に嵌入可能でかつ第１側面部材３１及び第２側面部材４１の幅とほぼ同等の長さを有する矩形板状に形成される。底面部材６１の先端６１ｂに前面部材１１の下部に突設される係合部７６の軸部７６ｂに係脱可能な係止部７７が形成される。係止部７７は図１０に示すように底面部材６１の先端６１ｂに形成される上方が開放された断面Ｕ字状の支持部７７ａ及び支持部７７ａの先端外側に一体形成された係止面７７ｃを有する断面略三角形状のフック部７７ｂが形成される。
【００３２】
このように構成された商品陳列台１は、図２及び図３に示すように、後面部材２１の後面部２２上に商品載置部材５１及び底面部材６１を横臥、即ち後面部２２上に商品載置部材５１及び底面部材６１を重ねる。この商品載置部材５１及び底面部材６１上に、第１後部側面部材３５上に第１前部側面部材３２が重なるように折り畳まれた第１側面部材３１及び第２後部側面部材４５上に第２前部側面部材４２が重なるように折り畳まれた第２側面部材４１を重ね、更に後面部材２１の延在部２３、２４上に前面部材１１の延在部１３、１４が重ね合わせた状態に折り畳まれる。
【００３３】
この折り畳まれた状態では後面部材２１と前面部材１１によって商品載置部材５１、底面部材６１及び第１側面部材３１、第２側面部材４１がコンパクトに収納されて、搬送が容易になると共に、少ない保管スペースでの収納が容易になる。
【００３４】
この折り畳まれた商品陳列台１は販売店等の使用箇所に搬送されて使用状態に展開される。次に商品陳列台１を折り畳まれた状態から使用状態に展開する手順を説明する。
【００３５】
図２に示すように折り畳まれた状態の商品陳列台１を後面部材２１が下側となる状態で保持し、前面部材１１を持ち上げる。前面部材１１の持ち上げに伴って図４に示すように前面部材１１が後面部材２１から離反するに従って第１後部側面部材３５及び第２後部側面部材４５が後面部材２１の延在部２３、２４にヒンジ結合された基端３５ａ、４５ａを揺動中心に揺動して次第に起立すると共に、第１前部側面部材３２及び第２前部側面部材４２が前面部材１１の延在部１３、１４にヒンジ結合された基端３２ａ、４２ａを揺動中心にして揺動して起立し、第１前部側面部材３２と第１後部側面部材３５を連結するヒンジ３９と第２前部側面部材４２と第２後部側面部材３５とを連結するヒンジ４９間が次第に離反する。
【００３６】
そして、図５のように第１前部側面部材３２と第１後部側面部材３５が平坦に連続する平面状に展開し、第２前部側面部材４２と第２後部側面部材４５が平坦に連続する平板状に展開すると共に、前面部材１１の延在部１３、１４と第１前部側面部材３１及び第２前部側面部材４２が連続する平面状に規制され、かつ後面部材２１の延在部２３、２４と第１後部側面部材３５、第２後部側面部材４５が連続する平面状に規制され、前面部材１１、後面部材２１、第１側面部材３１及び第２側面部材４１によって矩形筒状の矩形筒状台枠１０に展開される。
【００３７】
この前面部材１１、後面部材２１、第１側面部材３１及び第２側面部材４１によって矩形筒状台枠１０に展開した状態で、図６に示すように後面部材２１の後面部２２上に横臥した状態の商品載置部材５１を、支持部材５０に支持された基端５１ａを揺動中心に揺動して起立させ、図９（ａ）及び（ｂ）に示すように先端５１ｂに形成され係合部７３の先端に形成されたフック部７３ｂのガイド面７３ｃを前面部材１１に形成された係合部７２の軸部７２ｂに当接させ、更に商品載置部材５１を揺動させることにより、（ｃ）に示すように軸部７２ｂに沿ってガイド面７３ｃが支持部７３ａを撓ませながら滑動し、（ｄ）に示すようにガイド面７３ｃと軸部７２ｂと当接が終了して軸部７２ｂによる押圧付与が解除されると、支持部７３ａが弾性復元してフック部７３ｂの係止面７３ｄが軸部７２ｂに係止する。
【００３８】
これにより商品載置部材５１は、前面部材１１、後面部材２１、第１側面部材３１、第２側面部材４１によって形成される開口に嵌合して上部を塞蓋した状態で前面部材１１と後面部材２１との間に架設される。
【００３９】
一方、図６に示すように後面部材２１の後面部２２上に横臥した状態の底面部材６１を、支持部材６０に支持された基端６１ａを揺動中心に揺動して起立させ、図１０（ａ）及び（ｂ）に示すように先端６１ｂに形成され係止部７７の先端に形成されたフック部７７ｂの係止面７７ｃを前面部材１１に形成された係合部７６の軸部７６ｂに係止させることにより、底面部材６１が前面部材１１、後面部材２１、第１側面部材３１、第２側面部材４１によって形成される開口に嵌合して下部を塞蓋した状態で前面部材１１と後面部材２１との間に架設される。この展開状態の商品陳列台１を図７に示す。
【００４０】
この組み立てられた商品陳列台１の前面部材１１の前面部１２に凹設された表示パネル収容部１６の底面１６ａと表示パネル係止部１６ｃとの間の隙間１６ｂに表示パネル８０の周縁を挿入して表示パネル８０を表示パネル収容部１６に装着する。同様に後面部材２１、第１側面部材３１、第２側面部材４１に形成された表示パネル収容部に装着する。このように使用状態に展開された商品陳列台１を図１に示す。
【００４１】
このように構成された商品陳列台１は、互いにヒンジ結合された前面部材１１、後面部材２１、平板状に展開した第１側面部材３１及び第２側面部材４１によって矩形筒状に形成された矩形筒状台枠１０内の上部及び下部に矩形板状の商品載置部材５１及び底面部材６１が塞蓋状態で嵌合保持されると共に前面部材１１と後面部材２１との間に商品載置部材５１及び底面部材６１が架設された剛性が確保できる矩形ボックス状に形成され、商品載置部材５１上に安定した状態で商品Ｗを陳列することができ、商品陳列機能が確保できる。
【００４２】
また、前面部材１１、後面部材２１、第１側面部材３１、第２側面部材４１、商品載置部５１及び底面部材６１等を互いに揺動可能なヒンジ結合することより、折り畳まれた状態及び使用状態に展開した状態において、各構成部材が湾曲することなく、優れた外観形状が維持できる。更に、購買者の視覚に訴え易い視認性に優れた前面部材１１、後面部材２１、第１側面部材３１、第２側面部材４１等に表示パネル８０を装着することから、商品の購買意欲を喚起すことができる。
【００４３】
使用状態から折り畳む作業は、商品載置部材５１の先端に形成され係止部７３の支持部７３ａを撓み変形させて係合部７２の軸部７２ｂとの係合を解除し、商品載置部材５１を後面部材２１上に横臥すると共に、底面部材６１の先端６１ｂに形成された係止部７７を係合部７６との係合を解除して底面部材６１を後面部材２１上に横臥する。そして商品載置部材５１及び底面部材６１上に第１後面部材３５上に第１前面部材３２が重なるように折り畳まれた第１側部材３１及び第２後面部材４５上に第２前面部材４２が重なるように折り畳まれた第２側面部材４１を重ね、更に後面部材２１の延在部２３、２４上に前面部材１１の延在部１３、１４が重ね合わせた状態に折り畳まれる。
【００４４】
従って、本実施の形態による商品陳列台１は、折り畳まれた状態では後面部材２１と前面部材１１によって商品載置部材５１、底面部材６１及び第１側部材３１、第２側部材４１がコンパクトに収納されて搬送が容易になると共に、少ない保管スペースでの収納が容易に確保できる一方、折り畳まれた状態において後面部材２１と前面部材１１とを離間せしめて、前面部材１１、後面部材２１、第１側面部材３１及び第２側面部材４１による矩形筒状台枠１０を形成し、商品載置部材５１及び底面部材６１を揺動して後面部材２１と前面部材１１との間に架設する簡単な展開作業で商品陳列台１が使用状態に展開でき、優れた利便性が得られる。
【００４５】
なお、本考案は上記実施の形態に限定されることなく、考案の趣旨を逸脱しない範囲で種々変更することが可能である。例えば上記実施の形態では前面部材１１、後面部材２１、第１側面部材３１、第２側面部材４１の各外面に表示パネル８０を装着したが、前面部材１１、後面部材２１、第１側面部材３１、第２側面部材４１のいずれかの外面に選択的に表示パネル８０を装着することもできる。
【符号の説明】
【００４６】
１          商品陳列台
１０        矩形筒状台枠
１１        前面部材
１２        前面部
１３、１４  延在部
１６        表示パネル収容部
２１        後面部材
２２        後面部
２３、２４  延在部
３１        第１側面部材
３２        第１前部側面部材
３２ａ      基端
３２ｂ      先端
３５        第１後部側面部材
３５ａ      基端
３５ｂ      先端
４１        第２側面部材
４２        第２前部側面部材
４２ａ      基端
４２ｂ      先端
４５        第２後部側面部材
４５ａ      基端
４５ｂ      先端
５１        商品載置部材
５１ａ      基端
５１ｂ      先端
６１        底面部材
６１ａ      基端
６１ｂ      先端
７１        商品載置部材係止手段
７５        底面部材係止手段
８０        表示パネル
【図１】
0003149981.tif 000003
【図２】
0003149981.tif 000004
【図３】
0003149981.tif 000005
【図４】
0003149981.tif 000006
【図５】
0003149981.tif 000007
【図６】
0003149981.tif 000008
【図７】
0003149981.tif 000009
【図８】
0003149981.tif 000010
【図９】
0003149981.tif 000011
【図１０】
0003149981.tif 000012
【図１１】
0003149981.tif 000013
【図１２】
0003149981.tif 000014
【図１３】
0003149981.tif 000015
【図１４】
0003149981.tif 000016
【図１５】
0003149981.tif 000017
【図１６】
0003149981.tif 000018